(57)【要約】【課題】連写枚数が多い場合や動画撮影時間が長い場合であっても、撮影直後に当該撮影画像を表示するレックビュー表示時間を短くし、且つ撮影内容の確認も容易にする。【解決手段】レックビュー表示処理において、カウンタＮに初期値「１」をセットし（ステップＳ１０１）、このカウンタＮの値を４倍してカウンタＬにセットする（ステップＳ１０２）。そして、保存メモリから、高速連写により記録されたフレームデータにおけるＬ枚目の画像データを抽出し（ステップＳ１０３）、この抽出した画像データに基づく画像を表示装置に表示させる（ステップＳ１０４）。したがって、このフローチャートに従って処理が実行されることにより、前記フレームデータから４枚目、８枚目、１２枚目・・・が読み出されて、ステップＳ１０４及びステップＳ１０５で処理により、これら４枚目毎に読み出された画像データに基づく画像が、所定時間間隔で表示装置に表示される。【選択図】図３
2008078837.tif 000002
【特許請求の範囲】
【請求項１】
表示手段と、
撮影操作に応答して被写体を所定のフレームレートに従って連続撮像し、連続する複数枚の被写体画像を取得する取得手段と、
この取得手段により取得された複数枚の被写体画像を記録する記録手段と、
前記取得手段により取得された被写体画像の枚数を減少させる枚数減少手段と、
前記取得手段により複数枚の被写体画像が取得された直後において、前記枚数減少手段により減少された枚数の被写体画像を前記表示手段に表示させる表示制御手段と
を備えることを特徴とする撮像装置。
【請求項２】
前記枚数減少手段は、前記取得手段により取得された複数枚の被写体画像から所定の画像を抽出する抽出手段を有し、
前記表示制御手段は、
前記抽出手段により抽出された被写体画像を前記表示手段に表示させることを特徴とする請求項１記載の撮像装置。
【請求項３】
前記抽出手段は、前記取得手段により取得された複数枚の被写体画像から所定フレーム数置きに画像を抽出することを特徴とする請求項２記載の撮像装置。
【請求項４】
前記抽出手段は、前記取得手段により取得された複数枚の被写体画像における被写体の変化が大きい画像を抽出することを特徴とする請求項２記載の撮像装置。
【請求項５】
前記枚数減少手段は、前記取得手段により取得された複数枚の被写体画像を連続する所定枚数ずつ合成して複数の合成画像を生成する画像合成手段を有し、
前記表示制御手段は、
前記画像合成手段により生成された複数の合成画像を前記表示手段に表示させることを特徴とする請求項１記載の撮像装置。
【請求項６】
前記表示制御手段は、前記表示手段に前記各画像を所定の時間間隔で切り換え表示させることを特徴とする請求項１から５にいずれか記載の撮像装置。
【請求項７】
前記表示制御手段は、前記表示手段に前記各画像をマルチ画面表示させることを特徴とする請求項１から６にいずれか記載の撮像装置。
【請求項８】
前記枚数減少手段は、前記取得手段により取得された全画像、又は前記取得手段により取得された複数枚の被写体画像から一部の画像を抽出した抽出画像を合成して単一の画像を生成する画像合成手段を有し、
前記表示制御手段は、
前記画像合成手段により合成した単一の画像を前記表示手段に表示させることを特徴とする請求項１記載の撮像蔵置。
【請求項９】
前記表示制御手段は、前記取得手段による複数枚の被写体画像の取得時において、前記枚数減少手段により減少される枚数の被写体画像を前記表示手段にスルー画像として表示させる手段を備えることを特徴とする請求項１から８にいずれか記載の撮像装置。
【請求項１０】
高速連写モードと通常連写モードとを選択する選択手段を更に備え、
前記枚数減少手段は、高速連写モードが選択された場合に前記処理を実行し、
前記表示制御手段は、通常連写モードが選択された場合は前記取得手段により取得された全画像を表示させる特徴とする請求項１から９にいずれか記載の撮像装置。
【請求項１１】
前記表示制御手段は、前記取得手段による複数枚の被写体画像の取得の終了に応答して、前記被写体画像の表示を開始することを特徴とする請求項１から１０にいずれか記載の撮像装置。
【請求項１２】
前記表示制御手段は、前記取得手段による複数枚の被写体画像の取得後における所定のキー操作に応答して、前記被写体画像の表示を開始することを特徴とする請求項１から１０にいずれか記載の撮像装置。
【請求項１３】
表示手段と、撮影操作に応答して被写体を所定のフレームレートに従って連続撮像し、連続する複数枚の被写体画像を取得する取得手段と、この取得手段により取得された複数枚の被写体画像を記録する記録手段とを有する撮像装置が有するコンピュータを、
前記取得手段により取得された被写体画像の枚数を減少させる枚数減少手段と、
前記取得手段により複数枚の被写体画像が取得された直後において、前記枚数減少手段により減少された枚数の被写体画像を前記表示手段に表示させる表示制御手段と
して機能させることを特徴とする画像表示制御プログラム。
【請求項１４】
撮影操作に応答して被写体を所定のフレームレートに従って連続撮像し、連続する複数枚の被写体画像を取得する取得ステップと、
この取得ステップにより取得された複数枚の被写体画像を記録する記録ステップと、
前記取得ステップにより取得された被写体画像の枚数を減少させる枚数減少ステップと、
前記取得ステップにより複数枚の被写体画像が取得された直後において、前記枚数減少ステップにより減少された枚数の被写体画像を表示手段に表示させる表示制御ステップと
を含むことを特徴とする画像表示制御方法。
【発明の詳細な説明】
【技術分野】
【０００１】
本発明は、撮影直後に当該撮影画像を表示する（以下、レックビュー表示という。）機能を備えた撮像装置、画像表示制御プログラム及び画像表示制御方法に関する。
【背景技術】
【０００２】
従来、レックビュー表示機能を備えた撮像装置が知られている。この撮像装置は、連写（連続撮影）直後にレックビュー表示を行って、連写により得られた複数の画像を順次表示し、あるいは連写により得られた複数の画像をマルチ画面表示する。したがって、ユーザはレックビュー表示を見ることにより、連写の撮影内容を確認した後、次の撮影を行うことができる（例えば、特許文献１、特許文献２参照。）。
【特許文献１】特開２００１−２３０９５８号公報
【特許文献２】特開２０００−５０１４０号公報
【発明の開示】
【発明が解決しようとする課題】
【０００３】
しかしながら、前述のように連写により得られた複数の画像を順次表示すると、連写枚数が多くなるに従って（例えば３０枚）、レックビュー表示に要する時間が長くなることから、次の撮影のシャッターチャンスを失う等、撮影に支障を来す場合が生ずる。無論、シャッターチャンスが生じた時点で、レックビュー表示をキャンセルすれば、次の撮影への支障を回避することはできる。しかし、キャンセルにより撮影内容の確認が中途となってしまい、不安を残したまま次の撮影を行うことを強いられてしまう。
【０００４】
一方、連写により得られた複数の画像をマルチ画面表示するレックビュー表示においては、表示に要する時間を短くすることが可能となる。しかしながら、撮像装置が備える表示画面の大きさに自ずと限界があることから、連写枚数が多くなると、マルチ画面表示された各画像の表示サイズが相対的に小さくなり、撮影内容の確認が困難となってしまう。
【０００５】
本発明は、かかる従来の課題に鑑みてなされたものであり、連写枚数が多い場合や動画撮影時間が長い場合であっても、撮影直後に当該撮影画像を表示するレックビュー表示時間を短くし、且つ撮影内容の確認も容易となる撮像装置、画像表示制御プログラム及び静止画生成方法を提供することを目的とする。
【課題を解決するための手段】
【０００６】
前記課題を解決するために請求項１記載の発明に係る撮像装置にあっては、表示手段と、撮影操作に応答して被写体を所定のフレームレートに従って連続撮像し、連続する複数枚の被写体画像を取得する取得手段と、この取得手段により取得された複数枚の被写体画像を記録する記録手段と、前記取得手段により取得された被写体画像の枚数を減少させる枚数減少手段と、前記取得手段により複数枚の被写体画像が取得された直後において、前記枚数減少手段により減少された枚数の被写体画像を前記表示手段に表示させる表示制御手段とを備えることを特徴とする。
【０００７】
また、請求項２記載の発明に係る撮像装置にあっては、前記枚数減少手段は、前記取得手段により取得された複数枚の被写体画像から所定の画像を抽出する抽出手段を有し、前記表示制御手段は、前記抽出手段により抽出された被写体画像を前記表示手段に表示させることを特徴とする。
【０００８】
また、請求項３記載の発明に係る撮像装置にあっては、前記抽出手段は、前記取得手段により取得された複数枚の被写体画像から所定フレーム数置きに画像を抽出することを特徴とする。
【０００９】
また、請求項４記載の発明に係る撮像装置にあっては、前記抽出手段は、前記取得手段により取得された複数枚の被写体画像における被写体の変化が大きい画像を抽出することを特徴とする。
【００１０】
また、請求項５記載の発明に係る撮像装置にあっては、前記枚数減少手段は、前記取得手段により取得された複数枚の被写体画像を連続する所定枚数ずつ合成して複数の合成画像を生成する画像合成手段を有し、前記表示制御手段は、前記画像合成手段により生成された複数の合成画像を前記表示手段に表示させることを特徴とする。
【００１１】
また、請求項６記載の発明に係る撮像装置にあっては、前記表示制御手段は、前記表示手段に前記各画像を所定の時間間隔で切り換え表示させることを特徴とする。
【００１２】
また、請求項７記載の発明に係る撮像装置にあっては、前記表示制御手段は、前記表示手段に前記各画像をマルチ画面表示させることを特徴とする。
【００１３】
また、請求項８記載の発明に係る撮像装置にあっては、前記枚数減少手段は、前記取得手段により取得された全画像、又は前記取得手段により取得された複数枚の被写体画像から一部の画像を抽出した抽出画像を合成して単一の画像を生成する画像合成手段を有し、前記表示制御手段は、前記画像合成手段により合成した単一の画像を前記表示手段に表示させることを特徴とする。
【００１４】
また、請求項９記載の発明に係る撮像装置にあっては、前記表示制御手段は、前記取得手段による複数枚の被写体画像の取得時において、前記枚数減少手段により減少される枚数の被写体画像を前記表示手段にスルー画像として表示させる手段を備えることを特徴とする。
【００１５】
また、請求項１０記載の発明に係る撮像装置にあっては、高速連写モードと通常連写モードとを選択する選択手段を更に備え、前記枚数減少手段は、高速連写モードが選択された場合に前記処理を実行し、前記表示制御手段は、通常連写モードが選択された場合は前記取得手段により取得された全画像を表示させる特徴とする。
【００１６】
また、請求項１１記載の発明に係る撮像装置にあっては、前記表示制御手段は、前記取得手段による複数枚の被写体画像の取得の終了に応答して、前記被写体画像の表示を開始することを特徴とする。
【００１７】
また、請求項１２記載の発明に係る撮像装置にあっては、前記表示制御手段は、前記取得手段による複数枚の被写体画像の取得後における所定のキー操作に応答して、前記被写体画像の表示を開始することを特徴とする。
【００１８】
また、請求項１３記載の発明に係る画像表示制御プログラムにあっては、表示手段と、撮影操作に応答して被写体を所定のフレームレートに従って連続撮像し、連続する複数枚の被写体画像を取得する取得手段と、この取得手段により取得された複数枚の被写体画像を記録する記録手段とを有する撮像装置が有するコンピュータを、前記取得手段により取得された被写体画像の枚数を減少させる枚数減少手段と、前記取得手段により複数枚の被写体画像が取得された直後において、前記枚数減少手段により減少された枚数の被写体画像を前記表示手段に表示させる表示制御手段として機能させることを特徴とする。
【００１９】
また、請求項１４記載の発明に係る画像表示制御方法にあっては、撮影操作に応答して被写体を所定のフレームレートに従って連続撮像し、連続する複数枚の被写体画像を取得する取得ステップと、この取得ステップにより取得された複数枚の被写体画像を記録する記録ステップと、前記取得ステップにより取得された被写体画像の枚数を減少させる枚数減少ステップと、前記取得ステップにより複数枚の被写体画像が取得された直後において、前記枚数減少ステップにより減少された枚数の被写体画像を表示手段に表示させる表示制御ステップとを含むことを特徴とする画像表示制御方法。
【発明の効果】
【００２０】
本発明によれば、取得手段により取得された複数枚の被写体画像を記録する一方、前記取得手段により取得された被写体画像の枚数を減少させて、取得手段により複数枚の被写体画像が取得された直後に、前記減少された枚数の被写体像を表示させることから、撮影直後に当該撮影画像を表示するレックビュー表示に要する時間を短くすることができ、且つ撮像装置が備える自ずと限界のある表示画面において撮影内容の確認も容易にすることができる。よって、次の撮影のシャッターチャンスを失う事態や、撮影内容の確認が不完全となって不安を残したまま次の撮影を行う事態の発生を未然に防止することができる。
【発明を実施するための最良の形態】
【００２１】
以下、本発明の一実施の形態を図にしたがって説明する。
図１は、本発明の各実施の形態に共通するデジタルカメラ１の回路構成を示すブロック図である。このデジタルカメラ１は、静止画撮影機能と連写（動画撮影）機能とを備えるとともに、連写においては、フレームレート「６０ｆ／ｓ」で連写を行う通常連写機能と、「２４０ｆ／ｓ」で連写を行う高速連写機能とを有するものである。このデジタルカメラ１は、ＣＣＤ２とＤＳＰ／ＣＰＵ３とを備えており、ＣＣＤ２は、感光部にベイヤー配列の原色フィルターが設けられたものである。ＤＳＰ／ＣＰＵ３は、画像データの圧縮・伸張処理を含む各種のデジタル信号処理機能を有するとともにデジタルカメラ１の各部を制御するワンチップマイコンである。
【００２２】
ＤＳＰ／ＣＰＵ３には、ＣＣＤ２をフレームレート「６０ｆ／ｓ」又は「２４０ｆ／ｓ」等で駆動するＴＧ（Timing Generator）４が接続されており、ＴＧ４には、ＣＣＤ２から出力される被写体の光学像に応じたアナログの撮像信号が入力するユニット回路５が接続されている。ユニット回路５は、ＣＣＤ２から出力された撮像信号に含まれるＣＣＤ２の駆動ノイズを減少させる相関二重サンプリング回路（ＣＤＳ回路）と、ノイズ低減後における信号のゲインを調整する自動利得制御回路（ＡＧＣ回路）、ゲイン調整後の信号をデジタル信号に変換するＡ／Ｄ変換器を含み、ＣＣＤ２から入力したアナログの撮像信号をデジタルの画像信号に変換し、デジタル化したベイヤーデータをＤＳＰ／ＣＰＵ３に送る。
【００２３】
ＤＳＰ／ＣＰＵ３には、表示装置６、キー入力部７が接続されるとともに、アドレス・データバス１０を介してバッファメモリ（ＤＲＡＭ）１１、ＲＯＭ１２、保存メモリ１３、及び入出力インターフェース１４が接続されている。バッファメモリ１１は、前記ベイヤーデータ等を一時保存するバッファであるとともに、ＤＳＰ／ＣＰＵ３のワーキングメモリ等としても使用される。
【００２４】
すなわち、ＤＳＰ／ＣＰＵ３は、ユニット回路５から送られてきた前記ベイヤーデータに、ペデスタルクランプ等の処理を施した後、ＲＧＢデータに変換し、更にＲＧＢデータを輝度（Ｙ）信号及び色差（ＵＶ）信号に変換する。このＤＳＰ／ＣＰＵ３で変換されたＹＵＶデータは、１フレーム分のデータがバッファメモリ１１に格納される。バッファメモリ１１に格納された１フレーム分のＹＵＶデータは表示装置６へ送られ、そこでビデオ信号に変換された後、スルー画像として表示される。
【００２５】
また、静止画撮影モードにおいて使用者によるシャッターキー操作が検出されると、ＣＣＤ２及びユニット回路５をスルー画像撮像時とは異なる静止画撮影用の駆動方式や駆動タイミングに切り替えることにより静止画撮影処理を実行し、この静止画撮影処理によりバッファメモリ１１に格納された１フレーム分のＹＵＶデータは、ＤＳＰ／ＣＰＵ３でＪＰＥＧ方式等によるデータ圧縮後コード化され、バッファメモリ１１内でファイル化された後、アドレス・データバス１０を介して保存メモリ１３に静止画データ（静止画ファイル）として記録される。
【００２６】
また、通常連写（動画撮影）モードにおいて使用者による１回目のシャッターキー操作により連写開始指示が検出されると、連写処理を開始し、２回目のシャッターキー操作により連写終了指示が検出されるまでの複数フレーム分のＹＵＶデータをバッファメモリ１１に格納する。このバッファメモリ１１に格納された複数フレーム分のＹＵＶデータは順次ＤＳＰ／ＣＰＵ３へ送られ、ＪＰＥＧ方式等（動画撮影の場合は所定のＭＰＥＧのコーデック）によりデータ圧縮後コード化されて、バッファメモリ１１及びアドレス・データバス１０を介してフレームデータとしファイル名を付されて保存メモリ１３に書き込まれる。また、ＤＳＰ／ＣＰＵ３は、静止画又は連写画像（動画）の再生時には保存メモリ１３から読み出された静止画や連写（動画）のデータを伸張し、静止画データや連写画像（動画像）のフレームデータとしてバッファメモリ１１の画像データ作業領域に展開する。なお、高速連写（動画）撮影モードにおいて使用者によるシャッターキー操作により録画開始指示が検出されると、ＣＣＤ２及びユニット回路５をスルー画像撮像時（通常連写時）の駆動タイミング（６０ｆ／ｓ）とは異なる駆動タイミング（２４０ｆ／ｓ）に切り替えることにより高速連写処理を開始する。
【００２７】
表示装置６は、カラーＬＣＤとその駆動回路とを含み、撮影待機状態にあるときにはＣＣＤ２によって撮像された被写体画像をスルー画像として表示し、記録画像の再生時には保存メモリ１３から読み出されて伸張された記録画像を表示する。キー入力部７は、シャッターキー、モード設定キー、電源キー等の複数の操作キーを含み、使用者によるキー操作に応じたキー入力信号をＤＳＰ／ＣＰＵ３に出力する。なお、シャッターキーは連写（動画）撮影時には連写（録画）開始／終了ボタンとしても機能する。
【００２８】
また、ＲＯＭ１２には静止画撮影時、連写時、スルー画像撮影時等の各撮影時における適正な露出値（ＥＶ）に対応する絞り値（Ｆ）とシャッタースピードとの組み合わせを示すプログラム線図を構成するプログラムＡＥデータや、ＥＶ値表も格納されている。そして、ＤＳＰ／ＣＰＵ３がプログラム線図により設定されるシャッタースピードに基づき設定した電荷蓄積時間はシャッターパルスとして、ＴＧ４を介してＣＣＤ２に供給され、これに従いＣＣＤ２が動作することにより電荷蓄積時間すなわち露光時間が制御される。つまりＣＣＤ２は電子シャッターとして機能する。さらに、ＲＯＭ１２には、後述するフローチャートに示すプログラム及びデジタルカメラとして機能するに必要な各種プログラムが格納されている
【００２９】
なお、このデジタルカメラ１は、前記入出力インターフェース１４を備えており、よって、この入出力インターフェース１４を介してプリンタやパソコンやＴＶ受像機等の外部機器に接続することが可能である。
【００３０】
図２は、本発明の各実施の形態に共通する処理手順を示すフローチャートである。キー入力部７に設けられているモード設定キーが操作されて連写モードが設定されると、ＤＳＰ／ＣＰＵ３はＲＯＭ１２に格納されているプログラムに従ってこのフローチャートに示すように処理を実行する。すなわち、連写モードにおける高速連写モードがユーザのモード設定キーの操作により設定されたか否かを判断し（ステップＳ１）、高速連写モードが設定されていない場合には、通常連写モード処理に移行する。
【００３１】
すなわち、ＴＧ４を制御してＣＣＤ２をフレームレート「６０ｆ／ｓ」で駆動し（ステップＳ２）、このフレームレートで得られるフレーム画像データに基づき、表示装置６にスルー画像を表示させる（ステップＳ３）。この間、１回目のシャッターキーの操作を監視し（ステップＳ４）、１回目のシャッターキーの操作が検出されたならば、前記フレームレートで得られるフレーム画像データをバッファメモリ１１に順次記憶させる（ステップＳ５）。
【００３２】
そして、２回のシャッターキー操作が検出されるまで（ステップＳ６）、ステップＳ５、Ｓ６の処理を実行し、２回のシャッターキー操作が検出されたならば、バッファメモリ１１に蓄積された複数のフレーム画像データをフレームデータとして、ファイル名を付して保存メモリ１３に記憶する記録処理を開始する（ステップＳ７）。このとき、まとめて１つの動画ファイルとして記録してもよいし、別々に１つの静止画ファイルとして記録するようにしてもよい。しかる後に、この記録する全てのフレーム画像データを表示装置６に表示させるレックビュー表示を実行して（ステップ８）、ステップＳ１に戻る。
【００３３】
他方、ステップＳ１での判断の結果、高速連写モードが設定されている場合には、ＴＧ４を制御してＣＣＤ２をフレームレート「６０ｆ／ｓ」で駆動し（ステップＳ９）、このフレームレートで得られるフレーム画像データに基づき、表示装置６にスルー画像を表示させる（ステップＳ１０）。この間、１回目のシャッターキーの操作を監視し（ステップＳ１１）、１回目のシャッターキーの操作が検出されたならば、ＴＧ４を制御してＣＣＤ２をフレームレート「２４０ｆ／ｓ」で駆動する（ステップＳ１２）。つまり、ＣＣＤ２のフレームレートを「６０ｆ／ｓ」から「２４０ｆ／ｓ」に切り換える。そして、このフレームレートで得られるフレーム画像データをバッファメモリ１１に順次記憶させる一方（ステップＳ１３）、４回撮影する毎に１枚のフレーム画像データを抽出して（ステップＳ１４）、この抽出したフレーム画像データに基づき表示装置６にスルー画像を表示させる（ステップＳ１５）。
【００３４】
したがって、バッファメモリ１１には、図４に示すように、フレームレート「２４０ｆ／ｓ」によるフレームデータＦＤが順次蓄積されるが、このフレームレートでの表示動作が困難な表示装置６においては、その１／４である「６０ｆ／ｓ」の表示フレームレートでスルー画像（Ｌ１、Ｌ２、Ｌ３・・・）が表示される。
【００３５】
そして、２回のシャッターキー操作が検出されるまで（ステップＳ１６）、ステップＳ１３〜Ｓ１６の処理を実行し、２回のシャッターキー操作が検出されたならば、バッファメモリ１１に蓄積された複数のフレーム画像データをフレームデータとして、ファイル名を付して保存メモリ１３に記憶する記録処理を開始する（ステップＳ１７）。このとき、前述と同様に、まとめて１つの動画ファイルとして記録してもよいし、別々に１つの静止画ファイルとして記録するようにしてもよい。しかる後に、レックビュー表示処理を実行した後（ステップＳ１８）、ステップＳ１に戻る。
【００３６】
なお、この実施の形態においては１回目のシャッターキー操作と２回目のシャッターキーとの間において、ステップＳ１２〜Ｓ１５の処理を行うようにしたが、シャッターキーが押下されている間においてこれらの処理を行ったり、シャッターキーの操作から所定時間においてこれら処理を行うようにしてもよい。また、この実施の形態においては、２回目のシャッターキー操作があって高速連写を終了すると、自動的にレックビュー表示処理（ステップＳ１８）を実行するようにしたが、所定のキー操作があったか否かの判断ステップを設けて、所定のキー操作があった場合にレックビュー表示処理（ステップＳ１８）を実行するようにしてもよい。さらには、所定時間内に所定のキー操作があったか否かの判断ステップを設けて、所定時間内に所定のキー操作があった場合にレックビュー表示処理（ステップＳ１８）を実行するようにしてもよい。
【００３７】
図３は、本発明の第１の実施の形態におけるレックビュー処理（ステップＳ１８）の処理手順を示すフローチャートである。ＤＳＰ／ＣＰＵ３が有するカウンタＮに初期値「１」をセットし（ステップＳ１０１）、このカウンタＮの値を４倍してカウンタＬにセットする（ステップＳ１０２）。そして、バッファメモリ１１（又は保存メモリ１３）から、前記フレームデータにおけるＬ枚目の画像データを抽出し（ステップＳ１０３）、この抽出した画像データに基づく画像を表示装置６に表示させる（ステップＳ１０４）。この画像の表示は、所定時間（例えば、１秒）が経過するまで継続する（ステップＳ１０５）。所定時間が経過したならば（ステップＳ１０５；ＹＥＳ）、「Ｌ＞Ｌmax−３」となったか否か、つまり次回ステップＳ１０２で「Ｌ＝Ｎ×４」の処理を行った際に、Ｌが前記フレームデータの総画像データ枚数Ｌmaxを超えるか否かを判断する（ステップＳ１０６）。そして、このステップＳ１０６の判断がＹＥＳとなるまで、カウンタＮの値をインクリメントして（ステップＳ１０７）、ステップＳ１０２〜Ｓ１０７の処理を繰り返す。
【００３８】
したがって、このフローチャートに従って処理が実行されることにより、１回目のステップＳ１０２の処理により、図４に示すように「Ｌ１＝４」となって、ステップＳ１０３での処理によりフレームデータＦＤから４枚目の画像データＬ１が読み出され、２回目のステップＳ１０２の処理により、「Ｌ２＝８」となってステップＳ１０３での処理によりフレームデータＦＤから８枚目の画像データＬ２が読み出され、３回目のステップＳ１０２の処理により、「Ｌ３＝１２」となってステップＳ１０３での処理によりフレームデータＦＤから１２枚目の画像データＬ３が読み出される。また、以降フレームデータＦＤから４枚毎に１枚、つまり３枚おきに１枚の画像データが読み出される。
【００３９】
そして、ステップＳ１０４及びステップＳ１０５で処理により、これら４枚毎に読み出された画像データに基づく画像が、所定時間間隔で表示装置６に表示されることとなる。したがって、記録される連写画像は１／４に間引きされて表示装置６に表示されることなり、これによりレックビュー画像を明瞭に表示しつつ、レックビュー表示に要する時間の短縮化を図ることができる。
【００４０】
なお、この実施の形態においては、４枚毎に１枚のフレームデータの抽出を行うようにしたが、間引枚数はこれに限ることなくより少ない間引間欠枚数やより多い間引枚数としてもよい。
【００４１】
図５は、本発明の第２の実施の形態におけるレックビュー表示処理（ステップＳ１８）の処理手順を示すフローチャートである。バッファメモリ１１（又は保存メモリ１３）から、前記フレームデータにおける１枚目の画像データを読み出し（ステップＳ２０１）、さらに次の（当初は２枚目の）画像データを読み出す（ステップＳ２０２）。そして、これらステップＳ２０１で読み出した画像データ（又は前回のステップＳ２０２で読み出した画像データ）とステップＳ２０２で読み出した次の画像データの画像とを比較し（ステップＳ２０３）、両画像の相違（変化）が所定以上であるか否かを判断する（ステップＳ２０４）。両画像の相違が所定未満であって、連続するフレームデータにおける前後の画像の変化が少ない場合には、ステップＳ２０５及びＳ２０６の処理を行うことなくステップＳ２０７に進む。
【００４２】
そして、連写により得られた複数のフレームデータにおける最終画像データまで読み出したか否かを判断し（ステップＳ２０７）、最終画像データを読み出すまでステップＳ２０２からの処理を繰り返す。したがって、繰り返しフレームデータから次の画像データが読み出されて（ステップＳ２０２）、前回読み出された画像との比較がなされる（ステップＳ２０３）。そして、この比較の結果、両画像の相違（変化）が所定以上である場合には（ステップＳ２０４；ＹＥＳ）、今回読み出した画像データに基づく画像を表示装置６に表示させる（ステップＳ２０５）。この画像の表示は、所定時間（例えば、１秒）が経過するまで継続し（ステップＳ２０６）、所定時間が経過したならば前述したステップＳ２０７に進む。
【００４３】
したがって、このフローチャートに従って処理が実行されることにより、連写により得られた複数のフレームデータのうち、被写体の変化が大きく、動きの激しいシーンに対応する画像データのみが抽出されてレックビュー画像として表示される。これにより、高速連写した被写体の動きをレックビュー画像により効率的、且つ明瞭に表示しつつ、レックビュー表示に要する時間の短縮化を図ることができる。
【００４４】
図６は、本発明の第３の実施の形態におけるレックビュー表示処理（ステップＳ１８）の処理手順を示すフローチャートである。ＤＳＰ／ＣＰＵ３が有するカウンタＮに初期値「１」をセットし（ステップＳ３０１）、このカウンタＮの値で示されるＮ〜Ｎ＋３番目までの画像データａ，ｂ，ｃ，ｄを前記フレームデータから読み出す（ステップＳ３０２）。次に、「Ｌ＝（ａ＋ｂ＋ｃ＋ｄ）／４」により、Ｎ〜Ｎ＋３番目までつまり４枚のフレーム画像を１／４の重みで合成して１枚の合成画像データＬを生成する（ステップＳ３０３）。そして、合成画像データＬに基づく画像を表示装置６に表示させる（ステップＳ３０４）。この画像の表示は、所定時間（例えば、１秒）が経過するまで継続する（ステップＳ３０５）。所定時間が経過したならば（ステップＳ３０５；ＹＥＳ）、「Ｎ＋４＞Ｎmax」となったか否か、つまり次回ステップＳ３０７で「Ｎ＝Ｎ＋４」の処理を行った際に、Ｎが前記フレームデータの総画像データ枚数Ｎmaxを超えるか否かを判断する（ステップＳ３０６）。そして、このステップＳ３０６の判断がＹＥＳとなるまで、カウンタＮの値を「４」ずつ増加させて（ステップＳ３０７）、ステップＳ３０２〜Ｓ３０７の処理を繰り返す。
【００４５】
つまり、ステップＳ３０２〜Ｓ３０３での処理より、現時点がＮ＝１であるとすると、Ｎ＝Ｎ〜Ｎ＋３はＮ＝１〜４であることから、図７に示すように、フレームデータＦＤから１〜４の画像データを読み出し、Ｌ１＝（１＋２＋３＋４）／４により合成画像データＬ１を生成する。また、Ｎ＝１の状態で、ステップＳ３０７にてＮ＝Ｎ＋４の処理が実行されることにより、Ｎ＝５になると、Ｎ＝Ｎ〜Ｎ＋３はＮ＝５〜８であることから、フレームデータＦＤから５〜８の画像データを読み出し、Ｌ２＝（５＋６＋７＋８）／４により合成画像データＬ２を生成する。さらに、Ｎ＝５の状態で、ステップＳ３０７にてＮ＝Ｎ＋４の処理が実行されることにより、Ｎ＝９になると、Ｎ＝Ｎ〜Ｎ＋３はＮ＝９〜１２であることから、フレームデータＦＤから９〜１２の画像データを読み出し、Ｌ３＝（９＋１０＋１１＋１２）／４により合成画像データＬ３を生成する。
【００４６】
そして、ステップＳ３０４及びステップＳ３０５での処理により、これら４枚毎に合成された合成画像データ１に基づく画像が、所定時間間隔で表示装置６に表示されることとなる。したがって、連写により得られた画像データの数を１／４に減らして表示装置６に表示されることなり、これによりレックビュー画像を明瞭に表示しつつ、レックビュー表示に要する時間の短縮化を図ることができる。
【００４７】
なお、本実施の形態においては、以上説明した第１〜第３の実施の形態においては、図２のステップＳ１４及びステップＳ１５に示したように、４回撮影する毎に１枚のフレーム画像データを抽出して、この抽出したフレーム画像データに基づき表示装置６にスルー画像を表示させるようにしたが、図６のフローチャートの処理を用いてスルー画像を表示させるようにしてもよい。すなわち、図７に示すように、ＣＣＤのフレームからＬ１＝（１＋２＋３＋４）／４により合成画像データＬ１を生成し、Ｌ２＝（５＋６＋７＋８）／４により合成画像データＬ２を生成し、Ｌ３＝（９＋１０＋１１＋１２）／４により合成画像データＬ３を生成し、これら合成画像データＬ１、Ｌ２、Ｌ３・・・をスルー画像と表示装置６に表示させるようにしてもよい。
【００４８】
また、以上説明した第１〜第３の実施の形態においては、レックビュー表示において各画像の表示を継続する所定時間を例えば１秒としたが、これに限ることなく、レックビュー表示時間を短くし、且つ撮影内容の確認も容易するという本発明の目的が達成できる範囲で適宜の時間を設定すればよい。
【００４９】
また、各実施の形態においては、所定時間間隔で順次画像を切り換え表示するようにしたが、抽出する画像を単一の画面でマルチ画面表示してもよい。この場合には、レックビュー表示に要する時間を更に短くすることできる。また、マルチ画面表示される画像の枚数は連写枚数よりも遙かに少ないことから、マルチ画面を行っても各画像が極端に小さくなることはなく、各画像を明瞭に表示することができる。
【００５０】
また、表示する画像の数が多い場合には、複数の画面でマルチ画面表示を行って、マルチ画面を切り換え表示することが好ましい。このとき、マルチ画面を表示切り替えする際の表示フレームレートは、前述した高速連写時のフレームレートよりも低くして確認しやすくする。これにより、抽出する画像が多い場合であっても、各画像を明瞭に表示することができ、且つマルチ画面することからレックビュー表示に要する時間を短くすることができる。
【００５１】
図８は、本発明の第４の実施の形態におけるレックビュー表示処理（ステップＳ１８）の処理手順を示すフローチャートである。予めユーザのキー操作により全画像合成が選択されているか否かを判断する（ステップＳ４０１）。全画像合成が選択されている場合には、前記フレームデータを構成する全ての画像を多重合成して、１枚の合成画像データＬＯを生成する（ステップＳ４０２）。
【００５２】
また、全画像合成が選択されていない場合には、ＤＳＰ／ＣＰＵ３が有するカウンタＮに初期値「１」をセットし（ステップＳ４０３）、このカウンタＮの値を４倍してカウンタＬにセットする（ステップＳ４０４）。そして、バッファメモリ１１（又は保存メモリ１３）から、前記フレームデータにおけるＬ枚目の画像データを抽出してバッファメモリ１１に格納する（ステップＳ４０５）。次に、「Ｌ＞Ｌmax−３」となったか否か、つまり次回ステップＳ４０４で「Ｌ＝Ｎ×４」の処理を行った際に、Ｌが前記フレームデータの総画像データ枚数Ｌmaxを超えるか否かを判断する（ステップＳ４０６）。そして、このステップＳ４０６の判断がＹＥＳとなるまで、カウンタＮの値をインクリメントして（ステップＳ４０７）、ステップＳ４０４〜Ｓ４０７の処理を繰り返す。
【００５３】
したがって、このフローチャートに従って処理が実行されることにより、前述した第１の実施の形態と同様に、１回目のステップＳ４０４の処理により、図４に示すように「Ｌ１＝４」となって、ステップＳ４０５での処理によりフレームデータから４枚目の画像データＬ１が抽出され、２回目のステップＳ４０４の処理により、「Ｌ２＝８」となって、ステップＳ４０５での処理によりフレームデータから８枚目の画像データＬ２が抽出され、３回目のステップＳ４０４の処理により、「Ｌ３＝１２」となって、ステップＳ４０５での処理によりフレームデータから１２枚目の画像データＬ３が読み出される。また、以降フレームデータから４枚毎に１枚の画像データが読み出される。
【００５４】
そして、ステップＳ４０６の判断がＹＥＳとなると、前記ステップＳ４０５で抽出した複数枚の画像データを多重合成して１枚の合成画像データＬＰを生成する（ステップＳ４０８）。引き続き、前記ステップＳ４０２で多重合成した合成画像データＬＯ、又は前記ステップＳ４０８で多重合成した合成画像データＬＰに基づく画像を表示装置６に表示させる（ステップＳ４０９）。この画像の表示は、所定時間が経過するまで継続し、所定時間が経過したならば画像の表示、つまりレックビュー表示を終了する。
【００５５】
したがって、本実施の形態においては、レックビュー表示される画像が単一であることから、レックビュー表示に要する時間の短縮化を図ることができる。また、表示される画像は、前記フレームデータを構成する全ての画像を多重合成した画像、又は所定間隔で間欠的に抽出した複数の画像を多重合成した画像であることから、被写体の動きが反映された合成画像となり、これにより高速連写後のレックビュー表示として効果的な画像表示を行うことができる。
【００５６】
なお、本実施の形態においては、所定間隔で間欠的に抽出した複数の画像を多重合成するようにしたが、第２の実施の形態に示したように、被写体の変化のある画像を抽出して多重合成するようにしてもよい。これにより、被写体の動きの特徴が反映された合成画像となり、高速連写後のレックビュー表示としてより効果的な画像表示を行うことができる。また、実施の形態等の説明においては、専ら連写あるいは高速連写という語句を用いたが、これらは動画撮影あるいは高速動画撮影と同義語であり、動画撮影あるいは高速動画撮影と読み替えることができる。
【図面の簡単な説明】
【００５７】
【図１】本発明の一実施の形態に係るデジタルカメラのブロック図である。
【図２】本発明の各実施の形態に共通する連写モード処理の手順を示すフローチャートである。
【図３】本発明の第１の実施の形態におけるレックビュー表示処理の手順を示すフローチャートである。
【図４】同実施の形態の動作を示す説明図である。
【図５】本発明の第２の実施の形態におけるレックビュー表示処理の手順を示すフローチャートである。
【図６】本発明の第３の実施の形態におけるレックビュー表示処理の手順を示すフローチャートである。
【図７】同実施の形態の動作を示す説明図である。
【図８】本発明の第４の実施の形態におけるレックビュー表示処理の手順を示すフローチャートである。
【符号の説明】
【００５８】
１    デジタルカメラ
２    ＣＣＤ
３    ＤＳＰ／ＣＰＵ
４    ＴＧ
５    ユニット回路
６    表示装置
７    キー入力部
１０    データバス
１１    バッファメモリ
１２    ＲＯＭ
１３    保存メモリ
【図１】
2008078837.tif 000003
【図２】
2008078837.tif 000004
【図３】
2008078837.tif 000005
【図４】
2008078837.tif 000006
【図５】
2008078837.tif 000007
【図６】
2008078837.tif 000008
【図７】
2008078837.tif 000009
【図８】
2008078837.tif 000010